(57)【特許請求の範囲】
【請求項１】
小動物の通路を覆うように設置されるルーフ体と、
ルーフ体に当該ルーフ体で覆われる通路を小動物が通る方向に形成された長穴と、
ルーフ体で覆われる通路に進入してくる小動物と正対するようにルーフ体の表側から裏側にわたって変位可能にルーフ体の裏側に通された捕獲リングと、
ルーフ体の表側に揺動可能に突出するアーム部分を有するとともに当該アーム部分に捕獲リングが連結され、アーム部分をルーフ体に対して起立状に付勢するようにルーフ体に取り付けられたバネ体と、
一端がバネ体のアーム部分と捕獲リングとの連結部分に連結された回転端であり、他端が長穴からルーフ体の裏側に挿通可能な自由端としてのトリガ端であり、長穴の終端に係脱可能に係止される鉤部を回転端近傍に有する鉤棒と、
を備えることを特徴とする小動物捕獲器。
【請求項２】
前記ルーフ体は、通路を横断する方向の幅に対して通路に沿う方向の長さが長いものであり、前記長穴、前記捕獲リング、前記バネ体及び前記鉤棒で構成される１組の部品群が、当該ルーフ体の長手方向の両端部にそれぞれ１組ずつ設けられていることを特徴とする請求項１記載の小動物捕獲器。
【請求項３】
前記ルーフ体は、横断面形状が等脚台形の下底を除いた形状であることを特徴とする請求項１又は請求項２記載の小動物捕獲器。
【請求項４】
前記捕獲リングは、ワイヤロープであることを特徴とする請求項１、請求項２又は請求項３記載の小動物捕獲器。
【発明の詳細な説明】
【技術分野】
【０００１】
本発明は、農地、ゴルフ場、公園、庭等において、農作物、園芸植物、芝生等に被害をもたらす小動物（もぐら、ねずみ等）を捕獲する小動物捕獲器に関する。
【背景技術】
【０００２】
農地やゴルフ場等において、特にもぐらは地中に坑道を掘るときに農作物や芝生の根を切断するので、それらに被害が出る。このため、駆除用に様々なもぐら捕獲器が提案されている。
【０００３】
例えば、適当な大きさの円筒の一端開口側に押板を揺動可能に配置し、その押板の外側にえさかけ鉤を設け、えさかけ鉤の上端を円筒の外側に配置された押さえ棒の一端に掛け、円筒の他端開口側の外周には細ワイヤを張設し、この細ワイヤを押さえ棒の他端に掛け、細ワイヤを引く力となるバネを押さえ棒に係合させたもぐら捕器がある（例えば、特許文献１参照）。
【０００４】
このようなもぐら捕器を始めとして、もぐらを筒の中に誘い込む捕獲器では、筒は一般に塩化ビニル等のプラスチック、亜鉛等の金属からなるが、敏感で警戒心の強いもぐらは坑道の土壌からいきなりプラスチックや金属製の筒に触れると違和感を覚えるため、土壌以外のそのような人工の筒内に進入するのをためらう傾向があり、場合によっては筒内に進入しないことがあり、捕獲率の点では改善の余地がある。
【０００５】
そのような問題点に対して、図８（外観斜視図）及び図９（捕獲仕掛けを行った状態の側面図）に示すようなもぐら捕獲器１００が提案されている。このもぐら捕獲器１００は、図のように半円筒状（円筒を縦断方向に半分に切断した形状）のアーチ体１１０の表側から環状のワイヤ１２０が一対の外周方向の長穴１１５を経てアーチ体１１０の裏側に通されている。このワイヤ１２０は、もぐらが通過することのできる大きさ（輪径）を有し、アーチ体１１０の長手方向に揺動可能なアーム１３０の頂部１３１に連結されている。アーム１３０は、アーチ体１１０に固定された支持棒１３５に取り付けられたバネ１３２に一体に設けられており、バネ１３２によりアーチ体１１０に対して起立状に付勢されている。
【０００６】
また、アーチ体１１０の頂部から裏側に向けて、もぐらの進入を感知する楕円形トリガ１４０が長手方向に揺動可能に懸架され、この楕円形トリガ１４０に設けられたフック１４１がアーチ体１１０の表側に突出している。一方、アーチ体１１０の長手方向の端部には長尺棒１５０がアーチ体１１０の表側から裏側にかけて回転可能に取り付けられ、この長尺棒１５０はアーチ体１１０の表側で前記フック１４１に係脱可能なフック１５１を有する。
【０００７】
上記のようなワイヤ１２０、アーム１３０、バネ１３２、フック１４１付きの楕円形トリガ１４０、フック１５１付きの長尺棒１５０がアーチ体１１０の長手方向の両端部にそれぞれ設けられている。
【０００８】
このように構成したもぐら捕獲器１００は、もぐらの坑道に沿って設置される。すなわち、アーチ体１１０が坑道を覆うように設置される。捕獲を仕掛けるには、片方の手でアーム１３０をバネ１３２の復帰力に抗してアーチ体１１０の矢印イ方向（長手方向の端部側）に押し倒し、押し倒した状態でもう一方の手により長尺棒１５０をアーチ体１１０の表側に回転させてアーム１３０の頂部１３１の上側に通し、フック１５１を楕円形トリガ１４０のフック１４１に引掛ける。これにより、ワイヤ１２０がアーチ体１１０の裏側に略垂直に突出し、楕円形トリガ１４０がアーチ体１１０の裏側において略垂直になった状態（図９の状態）がロックされる。
【０００９】
このロック状態で、もぐらが坑道からアーチ体１１０のワイヤ１２０を通って中に進入し、楕円形トリガ１４０を押すと、フック１４１がもぐらの進入方向とは反対方向に変位するので、フック１４１に係合する長尺棒１５０のフック１５１が外れる。この瞬間、アーム１３０はバネ１３２の復帰力により矢印イとは反対方向に瞬時に回転し、ワイヤ１２０を通った状態のもぐらが引き上がったワイヤ１２０により締め上げられることで捕獲される。この場合、バネ１３２の復帰力が強力であれば、もぐらはワイヤ１２０により締め上げられた瞬間即死する。
【特許文献１】特開昭５３−５４５７７号公報
【発明の開示】
【発明が解決しようとする課題】
【００１０】
図８、図９に示すようなもぐら捕獲器１００では、バネ１３２の復帰力に抗してアーム１３０を矢印イ方向に押し倒すのに相当の力を要するだけでなく、アーム１３０を強い力で押し倒したまま長尺棒１５０をアーム１３０の頂部１３１の上側を通し、フック１５１を楕円形トリガ１４０のフック１４１に引掛ける一連の作業に非常に手間取ることになる。
【００１１】
すなわち、片方の手でアーム１３０を押し倒す、もう一方の手で長尺棒１５０をアーチ体１１０の表側まで回転させる、フック１５１をフック１４１に引掛ける、の少なくとも３つの動作が必要である。しかも、アーム１３０を押し倒したまま、長尺棒１５０を回転させるには両手を必要とするだけでなく、フック１５１をフック１４１に引掛けるためには、その面倒さから長尺棒１５０を回転させた手で改めて長尺棒１５０を持ち替えなければならない。更には、作業時にワイヤ１２０をもぐらが通り易い形状に整える必要もある。
【００１２】
また、そのような一連の作業中に指をワイヤ１２０で挟んで怪我をする恐れがあるので、そのような仕掛けは慎重に行う必要があり、これも作業に手間取る枷となる。このような問題は、バネ１３２が強力であるほど顕著となる。
【００１３】
また、上記のようなもぐら捕獲器１００は、ワイヤ１２０、アーム１３０、バネ１３２、フック１４１付きの楕円形トリガ１４０、フック１５１付きの長尺棒１５０を有するため、部品点数が多いだけでなく、構造が複雑でコスト高になる。
【００１４】
この発明は、そのような問題に鑑みてなされたもので、捕獲仕掛け作業を容易に行え、指を怪我するなどの危険性が少なく、しかも部品点数の削減、簡素な構造、安価を実現する小動物捕獲器を提供することを目的としている。
【課題を解決するための手段】
【００１５】
上記課題を解決するために、本発明の小動物捕獲器は、次の構成要素ａ〜ｅを備えることを特徴とする。
ａ）小動物の通路を覆うように設置されるルーフ体
ｂ）ルーフ体に当該ルーフ体で覆われる通路を小動物が通る方向に形成された長穴
ｃ）ルーフ体で覆われる通路に進入してくる小動物と正対するようにルーフ体の表側から裏側にわたって変位可能にルーフ体の裏側に通された捕獲リング
ｄ）ルーフ体の表側に揺動可能に突出するアーム部分を有するとともに当該アーム部分に捕獲リングが連結され、アーム部分をルーフ体に対して起立状に付勢するようにルーフ体に取り付けられたバネ体
ｅ）一端がバネ体のアーム部分と捕獲リングとの連結部分に連結された回転端であり、他端が長穴からルーフ体の裏側に挿通可能な自由端としてのトリガ端であり、長穴の終端に係脱可能に係止される鉤部を回転端近傍に有する鉤棒
この小動物捕獲器は、例えば前記従来のもぐら捕獲器と同様に、もぐらの坑道に沿って設置される。捕獲仕掛けを行う場合、バネ体のアーム部分を付勢力に抗してルーフ体の端部側（ルーフ体で覆われた通路の進入側の端部側）に押し倒す。このとき、鉤棒のトリガ端を長穴に通し、ルーフ体の裏側に突出させる。アーム部分がルーフ体の表側に接触する程度に押し倒したなら、鉤棒の鉤部を長穴の終端に係止させる。これにより、捕獲リングがルーフ体の裏側に略垂直状に突出し、鉤棒のトリガ端がルーフ体の裏側で捕獲リングの奥側に突出した状態がロックされる。
【００１６】
このロック状態で、もぐらが坑道からルーフ体の中に進入してくるとき、まず捕獲リングを通り、更に捕獲リングの奥側にある鉤棒のトリガ端を押し進むと、鉤棒の鉤部が長穴の終端から外れる。この瞬間、バネ体のアーム部分がバネ体の復帰力により元の起立状に戻るよう回転し、これに伴って捕獲リングが引き上がり、捕獲リングを通った状態のもぐらが、引き上がった捕獲リングによりルーフ体の裏側に挟まって締め上げられることで捕獲される。
【００１７】
本発明の小動物捕獲器において、ルーフ体は、通路を横断する方向の幅に対して通路に沿う方向の長さが長いものであり、長穴、捕獲リング、バネ体及び鉤棒で構成される１組の部品群が、当該ルーフ体の長手方向の両端部にそれぞれ１組ずつ設けられていることが好ましい。この場合、１つの小動物捕獲器を坑道に設置すれば、坑道を両方向から進入してくるもぐらをそれぞれ捕獲することができる。
【００１８】
また、ルーフ体は、横断面形状が等脚台形の下底を除いた形状であることが好ましい。この形状である方が、もぐらがルーフ体に進入し易く、もぐらの捕獲率が向上する。
【００１９】
更に、捕獲リングは、ワイヤロープであることが好ましい。ワイヤロープは適度の柔軟性を有するので、もぐらを締め上げるときに、もぐらの形態にフィットし易く、もぐらをより確実に締め付けることができる。加えて、ワイヤロープは、捕獲仕掛け作業時にもぐらが通り易い形状にする必要がない。
【００２０】
なお、本発明において小動物とは、農地、ゴルフ場、公園、庭等において、農作物、園芸植物、芝生等に被害をもたらす小動物を指し、具体的にはもぐら、ねずみ、いたち等である。
【発明の効果】
【００２１】
請求項１記載の発明によれば、バネ体のアーム部分をバネ体の付勢力に抗してルーフ体の表側に接触する程度に押し倒すとともに、バネ体のアーム部分と捕獲リングとの連結部分に連結された鉤棒の鉤部を長穴の終端に引掛けるだけでよいため、すなわちアーム部分の押し倒し、鉤部の引掛け、の２つの操作で済むため、捕獲仕掛け作業を容易に行えるとともに、アーム部分を押し倒す操作を確実に行うことができ、捕獲リングで指を挟んで怪我をするなどの危険性が極めて少ない。また、従来のもぐら捕獲器に比べて、部品点数が少なく、簡素な構造であり、コストを削減できる。
【００２２】
請求項２記載の発明によれば、１つの小動物捕獲器で、坑道を両方向から進入してくるもぐらをそれぞれ捕獲することができる。
【００２３】
請求項３記載の発明によれば、もぐらがルーフ体に進入し易く、もぐらの捕獲率が向上する。
【００２４】
請求項４記載の発明によれば、もぐらを締め上げるときに、捕獲リングがもぐらの形態にフィットし易いので、もぐらをより確実に締め付けることができる。また、捕獲仕掛け作業時に捕獲リングをもぐらが通り易い形状に調整する必要がない。
【発明を実施するための最良の形態】
【００２５】
以下、実施の形態により、この発明を更に詳細に説明する。
【００２６】
実施形態に係る小動物捕獲器の外観斜視図を図１に、その捕獲仕掛けを行った状態の側面図を図２に、図２の矢視Ａから見た正面図を図３に示す。
【００２７】
この小動物捕獲器１は、ルーフ体１０と、ルーフ体１０の長手方向（長さＬ方向）に形成された長穴１５と、ルーフ体１０の表側から裏側に長手方向に正対するように通された捕獲リング２０と、ルーフ体１０の表側に揺動可能に突出するアーム部分３３を有するとともに当該アーム部分３３に捕獲リング２０が連結され、アーム部分３３をルーフ体１０に対して起立状に付勢するようにルーフ体１０に取り付けられたバネ体３０と、一端がバネ体３０のアーム部分３３と捕獲リング２０との連結部分（ここでは金具５０）に連結された回転端４１であり、他端が長穴１５からルーフ体１０の裏側に挿通可能な自由端としてのトリガ端４２であり、長穴１５の終端（ここでは狭幅部１５ａ）に係脱可能に係止される鉤部４３を回転端４１の近傍に有する鉤棒４０とを備える。
【００２８】
ルーフ体１０は、図４の（ａ）に示すように、横断面形状が等脚台形の下底を除いた形状であり、平坦な上面１１と傾斜側面１２とからなる。この形状であれば、もぐらがルーフ体１０に進入し易く、もぐらの捕獲率が向上する。なお、このルーフ体１０は、好適には例えば厚さ０．８ｍｍ程度の金属（ステンレス、亜鉛等）製の板（樹脂製の板でもよい）からなり、サイズの一例を示すと、長さＬ＝１５０ｍｍ、幅Ｗ＝７０ｍｍ、高さＨ＝３５ｍｍである。
【００２９】
勿論、図４の（ｂ）に示すように、横断面形状が半円形のルーフ体１０Ａであってもよい。或いは、横断面形状がコ字状（四辺形の１辺が無い形状）のルーフ体や、単なる平板状のルーフ体でも構わない。すなわち、ルーフ体の形状はもぐらの坑道を覆えるものであれば特定されない。
【００３０】
長穴１５は、ルーフ体１０の横断方向（幅Ｗ方向）の中央部において、ルーフ体１０の上面１１の長手方向の端部寄りに形成され、端部側は狭幅部１５ａとなっている。
【００３１】
捕獲リング２０は、もぐらが通過することのできる大きさ（輪径）を有し、ルーフ体１０の幅Ｗ方向の端部寄りにおいて、ルーフ体１０の上面１１から傾斜側面１２にかけて形成された一対の穴１７に通されている。これにより、捕獲リング２０は、ルーフ体１０の表側と裏側にわたって変位可能である。この捕獲リング２０は、好適にはワイヤロープからなるが、ワイヤロープは適度の柔軟性を有するので、もぐらを締め上げるときに、もぐらの形態にフィットし易く、もぐらをより確実に締め付けることができる。しかも、ワイヤロープは、捕獲仕掛け作業時にもぐらが通り易い形状に調整する必要がない。
【００３２】
バネ体３０は、長穴１５の狭幅部１５ａとは反対側の終端側に配置され、この実施形態では連続する線状部材からなり、ルーフ体１０の上面１１に沿うように取り付けられた直線状の延長部分３１、付勢力を付与する一対のコイル部分３２、ルーフ体１０の表側に揺動可能に突出するアーム部分３３を有する。ここでは、アーム部分３３は、一対のコイル部分３２から立ち上がる逆Ｕ字状を呈するものである。
【００３３】
また、一対のコイル部分３２には、両端部がルーフ体１０の傾斜側面１２の穴１８に取り付けられた支持棒３４が挿通されることで、コイル部分３２が支持される。アーム部分３３は、コイル部分３２によりルーフ体１０に対して起立状（図１の状態）に付勢されている。なお、この実施形態では、バネ体３０は、延長部分３１、コイル部分３２、アーム部分３３、支持棒３４で構成される。
【００３４】
このバネ体３０のアーム部分３３の頂部には、金具５０により捕獲リング２０が連結されており、これにより捕獲リング２０は、ルーフ体１０の表側に引き上げられた状態（図１の状態）に付勢される。
【００３５】
鉤棒４０は、一端が金具５０（バネ体３０のアーム部分３３と捕獲リング２０との連結部分）に連結された回転端４１であり、他端が長穴１５からルーフ体１０の裏側に挿通可能な自由端としてのトリガ端４２であり、長穴１５の狭幅部１５ａに係脱可能に係止される鉤部４３を回転端４１の近傍に有する。ここでは、回転端４１は、金具５０に形成された穴５１に止められることで、金具５０に回転可能に取り付けられている。
【００３６】
上記のような長穴１５、捕獲リング２０、バネ体３０、鉤棒４０は、ルーフ体１０の長手方向の両端部にそれぞれ設けられている。これにより、１つの小動物捕獲器１で、坑道を両方向から進入してくるもぐらをそれぞれ捕獲することができる。
【００３７】
このように構成した小動物捕獲器１は、図５（設置状態の側面図）、図６（設置状態の正面図）に示すように、土中９０に掘られたもぐらの坑道９１に沿って設置される。すなわち、小動物捕獲器１を設置できる程度に坑道９１が上半分程度まで現れる深さの穴９５を掘り、その穴９５において、下記のように捕獲仕掛けを行ったルーフ体１０を坑道９１の上に掛け渡し、ルーフ体１０で坑道９１を覆う。このまま、小動物捕獲器１が土壌から現れたままにしておいてもよいが、好ましくは図に示すように、穴９５に板８０を被せ、更に板８０の上に土９６を被せておく。
【００３８】
捕獲仕掛けを行う場合は、片方の手の指でバネ体３０のアーム部分３３を付勢力に抗してルーフ体１０の長手方向の端部側に押し倒す。この押し倒す操作は、人差し指で行うと容易である。この操作のとき、鉤棒４０のトリガ端４２を長穴１５に通し、ルーフ体１０の裏側に突出させておく。アーム部分３３をルーフ体１０の表側に接触する程度に押し倒したなら、もう一方の手の指で鉤棒４０の鉤部４３を長穴１５の狭幅部１５ａに係止させる（引掛ける）。これにより、捕獲リング２０がルーフ体１０の裏側に略垂直状に突出し、鉤棒４０のトリガ端４２がルーフ体１０の裏側で捕獲リング２０の奥側に突出した状態がロックされる。
【００３９】
なお、この仕掛け作業は、上記“押し倒す”、“引掛ける”の２つの動作で完了するので簡便である。その上、例えば力が強い人の場合は、片手でも２つの動作を行うことが可能である。
【００４０】
図７に示すように、上記ロック状態で、もぐらＭが坑道９１からルーフ体１０の中に進入するとき、まず捕獲リング２０を通り、更に捕獲リング２０の前方にある鉤棒４０のトリガ端４２を押して進むと、鉤棒４０の鉤部４３が長穴１５の狭幅部１５ａから外れる。この瞬間、バネ体３０のアーム部分３３がバネ体３０のコイル部分３２の復帰力により元の起立状に戻るよう回転し、これに伴って捕獲リング２０が引き上がり、捕獲リング２０を通った状態のもぐらＭが、引き上がった捕獲リング２０によりルーフ体１０の裏側に挟まって締め上げられることで捕獲される。
【００４１】
なお、上記実施形態の小動物捕獲器１は一例であり、各種の変形例が可能である。例えば、バネ体３０のアーム部分３３は逆Ｕ字状であるが、１本の棒状であってもよいし、コイル部分３２は１つであってもよい。
【００４２】
また、上記実施形態では、金具５０を用いて捕獲リング２０、アーム部分３３、鉤棒４０を連結しているが、捕獲リング２０をアーム部分３３と一体に形成し、その一体連結部分に鉤棒４０の回転端４１を回転可能に連結してもよい。
【００４３】
更に、バネ体３０は延長部分３１、コイル部分３２、アーム部分３３、支持棒３４で構成されているが、もぐらが捕獲リング２０により確実に捕獲されるのであれば特定されず、全体がＬ字形の板バネからなってもよい。すなわち、Ｌ字形の板バネの一片をルーフ体１０の上面１１に溶接等により接合し、他片を揺動可能なアーム部分とする。この場合は更に部品点数を削減できる。
【００４４】
この他、もぐらが鉤棒４０のトリガ端４２を不用意に押してしまい易いように、もぐらとの接触面積を増やす形状（円形、三角形、逆三角形、四角形等）の接触片をトリガ端４２の先端に取り付けてもよい。
【００４５】
更にまた、上記小動物捕獲器１は、捕獲小動物としてもぐらを対象としているが、ねずみやいたちを捕獲する場合には、その小動物に応じたサイズに変更すればよい。
【図面の簡単な説明】
【００４６】
【図１】実施形態に係る小動物捕獲器の外観斜視図である。
【図２】捕獲仕掛けを行った状態の同小動物捕獲器の側面図である。
【図３】図２の矢視Ａから見た同小動物捕獲器の正面図である。
【図４】同小動物捕獲器において、ルーフ体の横断面形状を示す横断面図（ａ）、及び別形態のルーフ体の横断面形状を示す横断面図（ｂ）である。
【図５】同小動物捕獲器をもぐらの坑道に設置した状態を示す側面図である。
【図６】同小動物捕獲器をもぐらの坑道に設置した状態を示す正面図である。
【図７】同小動物捕獲器をもぐらの坑道に設置した状態において、もぐらがルーフ体の中に進入しようとするときを示す側面図である。
【図８】従来例に係るもぐら捕獲器の外観斜視図である。
【図９】捕獲仕掛けを行った状態の同もぐら捕獲器の側面図である。
【符号の説明】
【００４７】
１        小動物捕獲器
１０      ルーフ体
１５      長穴
１５ａ    狭幅部（終端）
２０      捕獲リング
３０      バネ体
３２      コイル部分
３３      アーム部分
４０      鉤棒
４１      回転端
４２      トリガ端
４３      鉤部
５０      金具
９１      もぐらの坑道
９５      穴
Ｍ        もぐら
【図１】
0004783397.tif 000002
【図２】
0004783397.tif 000003
【図３】
0004783397.tif 000004
【図４】
0004783397.tif 000005
【図５】
0004783397.tif 000006
【図６】
0004783397.tif 000007
【図７】
0004783397.tif 000008
【図８】
0004783397.tif 000009
【図９】
0004783397.tif 000010